(57)【要約】【課題】処理要求を行なった利用者の認証に成功してから情報処理装置を省電力状態から稼働状態に復帰させる場合よりも早く、利用者が要求する処理を情報処理装置に開始させることができる技術を提供する。【解決手段】情報処理装置の構成として、自装置に処理要求を行なった利用者の認証を外部認証装置に依頼してそこから認証結果を取得する認証処理管理部３と、認証処理管理部３で取得した利用者の認証結果を含む認証履歴情報を管理する認証履歴管理部４と、自装置の電力状態を切り替える機能を有する電源管理部５と、第１の電力状態のもとで利用者から処理要求を受けた場合に、この利用者に関して認証履歴テーブル１４に登録されている認証履歴情報を参照することにより、認証処理管理部３が外部認証装置から今回の認証結果を取得する前に、電源管理部５に電力状態の切り替えを指示する電力制御部５とを備える。【選択図】図２
2010194910.tif 000002
【特許請求の範囲】
【請求項１】
自装置に処理要求を行なった利用者の認証を外部認証装置又は内部認証装置に依頼して当該利用者の認証結果を前記外部認証装置又は前記内部認証装置から取得する取得手段と、
前記取得手段で取得した利用者の認証結果を含む認証履歴情報を管理する認証履歴管理手段と、
自装置の電力状態を、第１の電力状態と、当該第１の電力状態より消費電力が多い第２の電力状態と、当該第２の電力状態よりも消費電力が多い第３の電力状態のうちのいずれかに切り替える電力切り替え手段と、
前記第１の電力状態のもとで利用者から処理要求を受けた場合に、当該利用者に関して前記認証履歴管理手段が管理している前記認証履歴情報を参照することにより、前記取得手段が当該利用者の認証結果を前記外部認証装置又は前記内部認証装置から取得する前に、前記電力切り替え手段による電力状態の切り替えを制御する電力制御手段と
を備える情報処理装置。
【請求項２】
前記電力制御手段は、前記認証履歴情報に含まれる利用者の認証結果が認証成功であった場合に、自装置の電力状態を前記第１の電力状態から前記第２の電力状態に切り替えるように制御する
請求項１記載の情報処理装置。
【請求項３】
前記電力制御手段は、前記認証履歴情報に含まれる利用者の認証結果が認証失敗であった場合に、自装置の電力状態を前記第１の電力状態から前記第２の電力状態に切り替えないように制御する
請求項１記載の情報処理装置。
【請求項４】
前記電力制御手段は、自装置の電力状態を前記第１の電力状態から前記第２の電力状態に切り替えるように制御した後、前記取得手段が取得した利用者の認証結果が認証成功であった場合に、自装置の電力状態を前記第２の電力状態から前記第３の電力状態に切り替えるように制御する
請求項２記載の情報処理装置。
【請求項５】
前記電力制御手段は、自装置の電力状態を前記第１の電力状態から前記第２の電力状態に切り替えるように制御した後、前記取得手段が取得した利用者の認証結果が認証失敗であった場合に、自装置の電力状態を前記第２の電力状態から前記第１の電力状態に切り替えるように制御する
請求項２記載の情報処理装置。
【請求項６】
前記電力制御手段は、自装置の電力状態を前記第１の電力状態から前記第２の電力状態に切り替えないように制御した後、前記取得手段が取得した利用者の認証結果が認証成功であった場合に、自装置の電力状態を前記第１の電力状態から前記第３の電力状態に切り替えるように制御する
請求項３記載の情報処理装置。
【請求項７】
前記電力制御手段は、自装置の電力状態を前記第１の電力状態から前記第２の電力状態に切り替えないように制御した後、前記取得手段が取得した利用者の認証結果が認証失敗であった場合に、自装置の電力状態を前記第１の電力状態に維持するように制御する
請求項３記載の情報処理装置。
【請求項８】
利用者が操作する利用者端末と、
前記利用者端末を操作する利用者から処理要求を受けて処理を行なう情報処理装置と、
前記情報処理装置からの依頼を受けて利用者の認証処理を行なう認証装置と
を通信網で接続し、
前記情報処理装置は、
前記利用者端末を操作して自装置に処理要求を行なった利用者の認証を前記認証装置に依頼して当該利用者の認証結果を前記認証装置から取得する取得手段と、
前記取得手段で取得した利用者の認証結果を含む認証履歴情報を管理する認証履歴管理手段と、
自装置の電力状態を、第１の電力状態と、当該第１の電力状態より消費電力が多い第２の電力状態と、当該第２の電力状態よりも消費電力が多い第３の電力状態のうちのいずれかに切り替える電力切り替え手段と、
前記第１の電力状態のもとで利用者から処理要求を受けた場合に、当該利用者に関して前記認証履歴管理手段が管理している前記認証履歴情報を参照することにより、前記取得手段が当該利用者の認証結果を前記認証装置から取得する前に、前記電力切り替え手段による電力状態の切り替えを制御する電力制御手段とを備える
システム。
【請求項９】
利用者が操作する利用者端末と、
前記利用者端末を操作する利用者から処理要求を受けて処理を行なう情報処理装置と
を通信網で接続し、
前記情報処理装置は、
前記利用者端末を操作して自装置に処理要求を行なった利用者の認証を内部認証装置に依頼して当該利用者の認証結果を前記内部認証装置から取得する取得手段と、
前記取得手段で取得した利用者の認証結果を含む認証履歴情報を管理する認証履歴管理手段と、
自装置の電力状態を、第１の電力状態と、当該第１の電力状態より消費電力が多い第２の電力状態と、当該第２の電力状態よりも消費電力が多い第３の電力状態のうちのいずれかに切り替える電力切り替え手段と、
前記第１の電力状態のもとで利用者から処理要求を受けた場合に、当該利用者に関して前記認証履歴管理手段が管理している前記認証履歴情報を参照することにより、前記取得手段が当該利用者の認証結果を前記内部認証装置から取得する前に、前記電力切り替え手段による電力状態の切り替えを制御する電力制御手段とを備える
システム。
【請求項１０】
自装置に処理要求を行なった利用者の認証を外部認証装置又は内部認証装置に依頼して当該利用者の認証結果を前記外部認証装置又は前記内部認証装置から取得する取得手段と、
前記取得手段で取得した利用者の認証結果を含む認証履歴情報を管理する認証履歴管理手段と、
自装置の電力状態を、第１の電力状態と、当該第１の電力状態より消費電力が多い第２の電力状態と、当該第２の電力状態よりも消費電力が多い第３の電力状態のうちのいずれかに切り替える電力切り替え手段と、
前記第１の電力状態のもとで利用者から処理要求を受けた場合に、当該利用者に関して前記認証履歴管理手段が管理している前記認証履歴情報を参照することにより、前記取得手段が当該利用者の認証結果を前記外部認証装置又は前記内部認証装置から取得する前に、前記電力切り替え手段による電力状態の切り替えを制御する電力制御手段
としてコンピュータを機能させるためのプログラム。
【発明の詳細な説明】
【技術分野】
【０００１】
本発明は、情報処理装置、システム及びプログラムに関する。
【背景技術】
【０００２】
電子情報を取り扱う情報処理装置の一形態として、画像情報を取り扱う画像処理装置がある。また、ネットワーク対応型の画像処理装置として、例えば、利用者端末を操作する利用者から認証が必要となる処理要求を受けた場合に、ネットワークを介して外部の認証装置に利用者の認証を依頼し、当該認証装置で認証に成功した場合に、利用者の要求する処理を実行するものが知られている。また、この種の画像処理装置で消費電力を低減する技術として、利用者端末から処理要求を受けた段階では画像処理装置が省電力状態のまま外部の認証装置に認証を依頼し、認証装置で利用者の認証に成功した場合に、認証装置から画像処理装置に省電力解除命令を送信し、当該省電力解除命令の受信をきっかけにして画像処理装置が稼働状態に復帰する技術が知られている（例えば、特許文献１を参照）。
【先行技術文献】
【特許文献】
【０００３】
【特許文献１】特開２００６−２７７７１４号公報
【発明の概要】
【発明が解決しようとする課題】
【０００４】
本発明の課題は、処理要求を行なった利用者の認証に成功してから情報処理装置を省電力状態から稼働状態に復帰させる場合よりも早く、利用者が要求する処理を情報処理装置に開始させることができる技術を提供することにある。
【課題を解決するための手段】
【０００５】
請求項１に記載の発明は、自装置に処理要求を行なった利用者の認証を外部認証装置又は内部認証装置に依頼して当該利用者の認証結果を前記外部認証装置又は前記内部認証装置から取得する取得手段と、前記取得手段で取得した利用者の認証結果を含む認証履歴情報を管理する認証履歴管理手段と、自装置の電力状態を、第１の電力状態と、当該第１の電力状態より消費電力が多い第２の電力状態と、当該第２の電力状態よりも消費電力が多い第３の電力状態のうちのいずれかに切り替える電力切り替え手段と、前記第１の電力状態のもとで利用者から処理要求を受けた場合に、当該利用者に関して前記認証履歴管理手段が管理している前記認証履歴情報を参照することにより、前記取得手段が当該利用者の認証結果を前記外部認証装置又は前記内部認証装置から取得する前に、前記電力切り替え手段による電力状態の切り替えを制御する電力制御手段とを備える情報処理装置に係るものである。
【０００６】
請求項２に記載の発明は、請求項１記載の情報処理装置において、前記電力制御手段は、前記認証履歴情報に含まれる利用者の認証結果が認証成功であった場合に、自装置の電力状態を前記第１の電力状態から前記第２の電力状態に切り替えるように制御するものである。
【０００７】
請求項３に記載の発明は、請求項１記載の情報処理装置において、前記電力制御手段は、前記認証履歴情報に含まれる利用者の認証結果が認証失敗であった場合に、自装置の電力状態を前記第１の電力状態から前記第２の電力状態に切り替えないように制御するものである。
【０００８】
請求項４に記載の発明は、請求項２記載の情報処理装置において、前記電力制御手段は、自装置の電力状態を前記第１の電力状態から前記第２の電力状態に切り替えるように制御した後、前記取得手段が取得した利用者の認証結果が認証成功であった場合に、自装置の電力状態を前記第２の電力状態から前記第３の電力状態に切り替えるように制御するものである。
【０００９】
請求項５に記載の発明は、請求項２記載の情報処理装置において、前記電力制御手段は、自装置の電力状態を前記第１の電力状態から前記第２の電力状態に切り替えるように制御した後、前記取得手段が取得した利用者の認証結果が認証失敗であった場合に、自装置の電力状態を前記第２の電力状態から前記第１の電力状態に切り替えるように制御するものである。
【００１０】
請求項６に記載の発明は、請求項３記載の情報処理装置において、前記電力制御手段は、自装置の電力状態を前記第１の電力状態から前記第２の電力状態に切り替えないように制御した後、前記取得手段が取得した利用者の認証結果が認証成功であった場合に、自装置の電力状態を前記第１の電力状態から前記第３の電力状態に切り替えるように制御するものである。
【００１１】
請求項７記載の発明は、請求項３記載の情報処理装置において、前記電力制御手段は、自装置の電力状態を前記第１の電力状態から前記第２の電力状態に切り替えないように制御した後、前記取得手段が取得した利用者の認証結果が認証失敗であった場合に、自装置の電力状態を前記第１の電力状態に維持するように制御するものである。
【００１２】
請求項８記載の発明は、利用者が操作する利用者端末と、前記利用者端末を操作する利用者から処理要求を受けて処理を行なう情報処理装置と、前記情報処理装置からの依頼を受けて利用者の認証処理を行なう認証装置とを通信網で接続し、前記情報処理装置は、前記利用者端末を操作して自装置に処理要求を行なった利用者の認証を前記認証装置に依頼して当該利用者の認証結果を前記認証装置から取得する取得手段と、前記取得手段で取得した利用者の認証結果を含む認証履歴情報を管理する認証履歴管理手段と、自装置の電力状態を、第１の電力状態と、当該第１の電力状態より消費電力が多い第２の電力状態と、当該第２の電力状態よりも消費電力が多い第３の電力状態のうちのいずれかに切り替える電力切り替え手段と、前記第１の電力状態のもとで利用者から処理要求を受けた場合に、当該利用者に関して前記認証履歴管理手段が管理している前記認証履歴情報を参照することにより、前記取得手段が当該利用者の認証結果を前記認証装置から取得する前に、前記電力切り替え手段による電力状態の切り替えを制御する電力制御手段とを備えるシステムに係るものである。
【００１３】
請求項９記載の発明は、利用者が操作する利用者端末と、前記利用者端末を操作する利用者から処理要求を受けて処理を行なう情報処理装置とを通信網で接続し、前記情報処理装置は、前記利用者端末を操作して自装置に処理要求を行なった利用者の認証を内部認証装置に依頼して当該利用者の認証結果を前記内部認証装置から取得する取得手段と、前記取得手段で取得した利用者の認証結果を含む認証履歴情報を管理する認証履歴管理手段と、自装置の電力状態を、第１の電力状態と、当該第１の電力状態より消費電力が多い第２の電力状態と、当該第２の電力状態よりも消費電力が多い第３の電力状態のうちのいずれかに切り替える電力切り替え手段と、前記第１の電力状態のもとで利用者から処理要求を受けた場合に、当該利用者に関して前記認証履歴管理手段が管理している前記認証履歴情報を参照することにより、前記取得手段が当該利用者の認証結果を前記内部認証装置から取得する前に、前記電力切り替え手段による電力状態の切り替えを制御する電力制御手段とを備えるシステムに係るものである。
【００１４】
請求項１０記載の発明は、自装置に処理要求を行なった利用者の認証を外部認証装置又は内部認証装置に依頼して当該利用者の認証結果を前記外部認証装置又は前記内部認証装置から取得する取得手段と、前記取得手段で取得した利用者の認証結果を含む認証履歴情報を管理する認証履歴管理手段と、自装置の電力状態を、第１の電力状態と、当該第１の電力状態より消費電力が多い第２の電力状態と、当該第２の電力状態よりも消費電力が多い第３の電力状態のうちのいずれかに切り替える電力切り替え手段と、前記第１の電力状態のもとで利用者から処理要求を受けた場合に、当該利用者に関して前記認証履歴管理手段が管理している前記認証履歴情報を参照することにより、前記取得手段が当該利用者の認証結果を前記外部認証装置又は前記内部認証装置から取得する前に、前記電力切り替え手段による電力状態の切り替えを制御する電力制御手段としてコンピュータを機能させるためのプログラムに係るものである。
【発明の効果】
【００１５】
請求項１、８、９、１０に記載の発明によれば、処理要求を行なった利用者の認証に成功してから情報処理装置を省電力状態から稼働状態に復帰させる場合よりも早く、利用者が要求する処理を情報処理装置に開始させることができる。その結果、情報処理装置が利用者から処理要求を受けてから、当該処理要求に基づく処理を開始するまでの時間を短縮することができる。
【００１６】
請求項２に記載の発明によれば、認証履歴情報が示す過去の認証結果から、今回の認証処理で認証成功となる可能性が高いと予想される利用者からの処理要求に際して、情報処理装置の電力状態を事前に上げた状態で、認証装置での正式な認証結果を待つことができる。
【００１７】
請求項３に記載の発明によれば、認証履歴情報が示す過去の認証結果から、今回の認証処理で認証失敗となる可能性が高いと予想される利用者からの処理要求に際して、情報処理装置の消費電力を増加することなく、認証装置での正式な認証結果を待つことができる。
【００１８】
請求項４に記載の発明によれば、今回の認証処理で認証装置から取得した認証結果が認証成功であることが判明した段階で情報処理装置の電力状態を第１の電力状態から第３の電力状態に切り替える場合よりも早く、情報処理装置を省電力状態から稼働状態に復帰させることができる。
【００１９】
請求項５に記載の発明によれば、利用者が要求する処理の実行に備えて情報処理装置の電力状態を第２の電力状態に維持しておく時間を最小限に抑えて、無駄な電力の消費を低減することができる。
【００２０】
請求項６に記載の発明によれば、認証履歴情報が示す過去の認証結果から、今回の認証処理で認証失敗となる可能性が高いと予想される利用者からの処理要求に際して、事前に情報処理装置の電力状態を上げておかなくても、今回の認証処理で認証成功となった利用者が要求する処理を第３の電力状態で実行することができる。
【００２１】
請求項７に記載の発明によれば、今回の認証処理で認証失敗となる可能性が高いと予想される利用者からの処理要求に際して、実際に今回の認証処理で認証装置から認証失敗の認証結果を取得した場合に、情報処理装置の電力状態を一貫して第１の電力状態に維持して無駄な電力の消費を避けることができる。
【図面の簡単な説明】
【００２２】
【図１】本発明が適用されるシステムの概略構成図である。
【図２】本発明の実施の形態に係る画像処理装置の内部構成の一例を示すブロック図である。
【図３】認証履歴テーブルの一例を示す図である。
【図４】電力状態のレベル分けの一例を示す図である。
【図５】本発明の実施の形態に係る画像処理装置で行なわれる処理の一例を示すフローチャートである。
【発明を実施するための形態】
【００２３】
以下、本発明の具体的な実施の形態について図面を参照しつつ詳細に説明する。なお、本発明の技術的範囲は以下に記述する実施の形態に限定されるものではなく、発明の構成要件やその組み合わせによって得られる特定の効果を導き出せる範囲において、種々の変更や改良を加えた形態も含む。
【００２４】
図１は本発明が適用されるシステムの概略構成図である。図示したシステムは、利用者端末１００と、画像処理装置１０１と、認証装置１０２とを、共通の通信網１０３で相互に接続した構成となっている。
【００２５】
利用者端末１００は、利用者が操作する端末装置であって、例えば、表示装置（液晶モニター等）や入力装置（キーボード、マウス等）が付属するパーソナルコンピュータを用いて構成されている。
【００２６】
画像処理装置１０１は、利用者端末を操作する利用者から処理要求を受けて、当該処理要求に基づく処理（利用者が要求する処理）を行なうものである。画像処理装置１０１は、例えば、印刷処理、画像読取処理、複写処理、ＦＡＸ（ファクス）処理といった複数の処理機能を併せ持つ複合機を用いて構成されている。
【００２７】
認証装置１０２は、画像処理装置１０１からの依頼を受けて利用者の認証処理を行なうものである。認証装置１０２は、例えば、認証サーバを用いて構成されている。認証装置１０２による利用者の認証処理は、認証処理の対象となる利用者が実際に処理要求を行なった内容に関して画像処理装置１０１を利用する資格を有する者（適格者）かどうかを判断することで行なう。その際、認証装置１０２は、利用者が利用資格を有する場合は、画像処理装置１０１に対して、利用者の認証に成功した旨の認証結果を通知（送信）する。また、認証装置０１２は、利用者が利用資格を有していない場合は、画像処理装置１０１に対して、利用者の認証に失敗した旨の認証結果を通知する。
【００２８】
通信網１０３は、利用者端末１００、画像処理装置１０１及び認証装置１０２の間で、規定の通信規約に基づいて双方向の通信（データや情報の受け渡し）を実現するものである。通信網１０３は、例えばＬＡＮ（ローカル・エリア・ネットワーク）等を用いて構成されるものである。
【００２９】
図２は本発明の実施の形態に係る画像処理装置１０１の内部構成の一例を示すブロック図である。画像処理装置１０１は、大きくは、通信部１と、処理要求受付部２と、認証処理管理部３と、認証履歴管理部４と、電力制御部５と、電源管理部６と、機能処理部７とを備えた構成となっている。
【００３０】
通信部１は、上記通信網１０３を介して外部の装置（本形態例では利用者端末１００、認証装置１０２に相当）と通信する外部インターフェースとなるものである。通信部１は、処理要求検知部１１を有している。処理要求検知部１１は、自装置（画像処理装置１０１）に対して外部の装置から処理要求があったかどうかを検知するものである。
【００３１】
処理要求受付部２は、上記通信部１で処理要求検知部１１が検知した処理要求を受け付けるものである。処理要求受付部２は、認証要否判断部１２を有している。認証要否判断部１２は、処理要求受付部２で受け付けた処理要求の要求元となる外部の装置（本形態例では利用者端末１００に相当）を操作して実際に処理要求を行なった利用者の認証を行なう必要があるかどうかを判断するものである。
【００３２】
認証要否判断部１２においては、例えば、処理要求受付部２で受け付けた処理要求の内容にしたがって認証の要否を判断する。より具体的な事例として、処理要求受付部２には、利用者の認証が必要となる処理要求の内容を一覧で登録した処理要求表が予め具備されている。認証要否判断部１２は、実際に処理要求受付部２で受け付けた処理要求の内容と一致する内容が処理要求表に存在する場合は、利用者の認証が必要と判断し、存在しない場合は、利用者の認証が不要と判断する。また、利用者の認証が必要かどうかの判断に関しては、例えば、画像処理装置１０１を利用する際の利用条件を制限したゲスト用のＩＤを認証要否判断部１２に設定しておき、当該ゲスト用ＩＤでログインした利用者については認証不要と判断し、それ以外のＩＤでログインした利用者については認証必要と判断するものとしてもよい。
【００３３】
利用者の認証に必要となる情報（以下、「認証用利用者情報」）は、例えば、利用者端末１００から画像処理装置１０１に処理要求を送信するときに、当該処理要求と一緒に送信する仕組みとすればよい。またこれ以外にも、例えば、上記認証要否判断部１２が利用者の認証を必要と判断した場合に、画像処理装置１０１から利用者端末１００に認証用利用者情報の提示要求を送信し、これに応答して利用者端末１００から画像処理装置１０１に認証用利用者情報を送信する仕組みとしてもよい。本実施の形態においては、一例として前者の仕組みを採用することとする。認証用利用者情報としては、例えば、利用者ごとに割り当てられた固有の情報（以下、「利用者ＩＤ」）など、利用者を一意に特定する情報であれば、どのような情報を用いてもよい。また、認証の対象となる利用者の単位は、個人単位であってもよいし、所属先や配属先などの組織（グループ）単位であってもよい。また、利用者ＩＤとパスワードを組み合わせた情報や、利用者ＩＤと証明書を組み合わせた情報を、認証用利用者情報として用いてもよい。
【００３４】
認証処理管理部３は、利用者の認証処理を管理するものである。認証処理管理部３は、上記認証要否判断部１２で認証が必要と判断された利用者に関して、認証装置１０２に認証を依頼する処理や、当該認証依頼に対して認証装置１０２から返信（通知）された認証結果を取得する処理や、取得した認証結果を認証履歴管理部４に転送する処理を行なうものである。認証処理管理部３は、認証履歴確認部１３を有している。認証履歴確認部１３は、上記認証要否判断部１２で認証が必要と判断された利用者に関して、今回、処理要求受付部２で受け付けた処理要求を行なう前（過去）に認証装置１０２で認証処理を行なったときの認証結果を示す認証履歴を確認するものである。
【００３５】
認証履歴管理部４は、認証処理管理部３から転送される認証結果を含む認証履歴情報を管理するものである。認証履歴管理部４は、認証履歴テーブル１４を有している。認証履歴テーブル１４は、認証履歴情報の蓄積及び管理に用いられるものである。認証履歴テーブル１４には、利用者ごとに認証履歴情報が登録（保持）されている。
【００３６】
図３は認証履歴テーブルの一例を示す図である。認証履歴テーブル１４には、認証用利用者情報となる「利用者ＩＤ」に対応付けて、「認証結果」、「認証日時」、「処理要求の内容」などの情報が認証履歴情報として登録されている。認証結果は、認証に成功したか失敗したかを示す情報であって、認証成功又は認証失敗で登録される。認証日時は、実際に認証を行なった日時を示す情報である。処理要求の内容は、認証が必要と判断された利用者から受け付けた処理要求の内容を示す情報である。図示した認証履歴テーブル１４において、例えば、利用者ＩＤ「abc123」で特定される利用者の認証履歴情報を参照すれば、過去に当該利用者が「印刷処理」で処理要求を行なったときに、「2008年9月1日22時02分」付けの認証日時で認証装置１０２から取得した認証結果が「認証成功」であったことが分かる仕組みになっている。
【００３７】
認証履歴テーブル１４への認証履歴情報の登録は、未登録の利用者に関しては、新規追加で行なうことになるが、登録済みの利用者に関しては、追加で行なってもよいし、上書きで行なってもよい。登録済みの利用者の認証履歴情報を上書きで登録する場合は、常に最新（前回）の認証履歴情報だけが認証履歴テーブル１４に保持されることになる。登録済みの利用者の認証履歴情報を追加で登録する場合は、例えば、過去１週間、過去１ヶ月、過去３ヶ月、過去半年、…などのように、認証履歴テーブル１４に登録される認証履歴情報の保存期間を予め決めておき、この保存期間を過ぎた認証履歴情報を認証履歴テーブル１４から自動的に削除する方式を採用してもよい。認証履歴テーブルに対する認証履歴情報の登録（追加、上書きを含む）、削除、検索などの処理は、すべて認証履歴管理部４が行なう。
【００３８】
電力制御部５は、電源管理部６による電力状態の切り替えを制御するものである。電力状態の切り替えに際しては、電力制御部５から電源管理部６に電力状態の変更指示がなされ、この変更指示にしたがって電源管理部６が自装置の電力状態を切り替える仕組みになっている。電力制御部５による電力制御の具体的な内容については後段で説明する。
【００３９】
電源管理部６は、画像処理装置１０１が備える各種のハードウェアの電源を管理するものである。電源管理の対象となるハードウェアとしては、例えば、ユーザーインターフェース（ＵＩ）部１５、ハードディスク（ＨＤＤ）１６、ネットワークソフトウェア制御部（図中のＳ／Ｗはソフトウェアの略）１７、ネットワークハードウェア（図中のＨ／Ｗはハードウェアの略）１８、情報管理用ハードウェア１９、印刷用ハードウェア２０、画像読取用ハードウェア２１、複写用ハードウェア２２、ＦＡＸ用ハードウェア２３、画像データ処理用ハードウェア２４などがある。情報管理用ハードウェア１９は、画像処理装置１０１が稼働状態から省電力状態に移行するときに、移行直前のマシンの状態を示す情報（ステータス情報）を保持する場合などに用いられる。
【００４０】
電源管理部６は、例えば図４に示すように、６つのレベルに分けてハードウェアの電源を管理する。６つのレベルのうち、レベル１は、自装置の消費電力が最も少なくなる電力状態（休眠状態）であり、レベル６は、自装置の消費電力が最も多くなる電力状態である。各々のレベル１〜６は、自装置の消費電力が段階的に異なるように区分されている。即ち、レベル２はレベル１よりも消費電力が多い電力状態であり、レベル３はレベル２よりも消費電力が多い電力状態である。また、レベル４はレベル３よりも消費電力が多い電力状態であり、レベル５はレベル４よりも消費電力が多い電力状態であり、レベル６はレベル５よりも消費電力が多い電力状態である。本書では、画像処理装置１０１が自身のもつ処理機能を最大限に発揮するときの電力状態を稼働状態と定義し、それよりも電力消費が少ない電力状態（節電状態）を省電力状態と定義する。そうすると、レベル１〜５の電力状態は、いずれも省電力状態に該当するものとなり、レベル６の電力状態は、稼働状態に該当するものとなる。また、画像処理装置１０１は、自装置の電力状態がレベル１〜５のうちのいずれか１つからレベル６に切り替わることで、省電力状態から稼働状態へと復帰することになる。省電力状態から稼働状態への復帰は、復帰直前の省電力状態のレベルが低いほど、稼働状態に復帰するまでに時間がかかる。換言すれば、復帰直前の省電力状態のレベルが高いほど、稼働状態に復帰するまでの時間が短くなる。
【００４１】
消費電力の相対的な比較は、各々のレベルに対応してハードウェアに電源を投入した段階での消費電力を対象にしており、電源投入後の実動作による消費電力の増大分は見込んでいない。例えば、ハードディスクを例に挙げて説明すると、ハードディスクに電源を投入した段階での消費電力と、実際にデータの蓄積などでハードディスクを動作させた段階での消費電力は、後者の方が多くなるが、上述した電力状態のレベル分けは、電源投入段階の消費電力を想定している。このため、例えば、自装置の電力状態をレベル１からレベル２に変更する場合は、レベル１で電源を投入しているハードウェアをすべて含んで、それよりも多いハードウェアを対象に電源を投入することになる。また、自装置の電力状態をレベル１からレベル３に変更する場合は、レベル１で電源を投入しているハードウェアと、それ以外にレベル２で電源が投入されるハードウェアをすべて含んで、それよりも多いハードウェアを対象に電源を投入することになる。つまり、電力状態のレベルが上がるほど、電源を投入する対象となるハードウェアの数（種類）が増加する。電源管理部６は、自装置の電力状態を上記６つのレベルのうちのいずれかに切り替える機能を有する。このため、電源管理部６は、電力切り替え手段としての機能を果たす。ここでは、一例として、レベル１が「第１の電力状態」、レベル３が「第２の電力状態」、レベル６が「第３の電力状態」に相当するものとする。ただし、これに限らず、消費電力の関係が、「第１の電力状態＜第２の電力状態＜第３の電力状態」の関係を満たすものであれば、他の対応関係、例えば、レベル２を「第１の電力状態」、レベル４を「第２の電力状態」、レベル６を「第３の電力状態」としてもよい。
【００４２】
レベル１は、例えば、ＭＡＣ／ＰＨＹ規格にしたがって通信網１０３を介して受信したパケットが自装置宛てのパケットか否かを判断するパケットフィルタなどの機能を働かせるために必要となる電力状態である。
【００４３】
レベル２は、例えば、ＡＲＰ／Ｐｉｎｇ処理、ブロードキャストやマルチキャストによる検索など、ネットワークハードウェアを用いた機能を働かせるために必要となる電力状態である。
【００４４】
レベル３は、例えば、プロトコルによって最低限のＣＰＵ（例えば、ネットワークインターフェースカードに搭載されるＣＰＵなど）の電源を入れ、ステータスの応答（ハードディスクへのアクセスが不要なもの）を行なう機能を働かせるために必要となる電力状態である。
【００４５】
レベル４は、例えば、プロトコルによって最低限のＣＰＵの電源を入れ、ステータスの応答（ハードディスクへのアクセスが必要なもの）を行なう機能やデータを蓄積する機能を働かせるために必要となる電力状態である。
【００４６】
レベル５は、画像データを処理する機能を働かせるために必要となる電力状態である。
【００４７】
レベル６は、利用者から処理要求を受けた画像処理（印刷処理、画像読取処理、複写処理、ＦＡＸ処理など）の機能を働かせるために必要となる電力状態である。
【００４８】
機能処理部７は、処理要求受付部２で受け付けた処理要求の内容にしたがって、印刷処理、画像読取処理、複写処理、ＦＡＸ処理、ステータス処理などの機能処理を行なうものである。機能処理部７は、印刷処理部２５、画像読取処理部２６、複写処理部２７、ＦＡＸ処理部２８、ステータス処理部２９を有している。印刷処理部２５は、用紙に画像を印刷する処理を行なうものである。画像読取処理部２６は、原稿に記録された画像を読み取る処理を行なうものである。複写処理部２７は、原稿から読み取った画像を用紙に複写する処理を行なうものである。ＦＡＸ処理部２８は、ＦＡＸデータを送信したり受信したりする処理を行なうものである。ステータス処理部２９は、自装置のステータス（動作状態）を確認したり、確認結果を外部の装置（ステータスの確認要求を行なった装置）に通知したりする処理を行なうものである。
【００４９】
以上述べた画像処理装置１０１の構成要素のなかで、通信部１、処理要求受付部２、認証処理管理部３、認証履歴管理部４、電力制御部５、電源管理部６、機能処理部７については、電源管理の対象となるハードウェア資源を除いて、例えば、プログラムを格納するＲＯＭ(Read-Only Memory)と、ＲＡＭ(Random Access Memory)と、ＲＯＭに格納されたプログラムをＲＡＭに読み出して実行するＣＰＵ(Central Processing Unit)等のコンピュータ・ハードウェア資源を用いて実現されるものである。また、本発明は、以下の処理を行なう手段としてコンピュータを機能させるためのプログラムを含むものである。
【００５０】
図５は本発明の実施の形態に係る画像処理装置で行なわれる処理の一例を示すフローチャートである。なお、以下の処理は、画像処理装置１０１の電力状態がレベル１であっても支障なく行われるものである。
【００５１】
まず、自装置の電力状態がレベル１に設定されている状況のもとで、処理要求検知部１１は、外部の装置から処理要求があったかどうかを繰り返し確認する（ステップＳ１）。そして、利用者端末１００から画像処理装置１０１に向けて送信された処理要求を通信部１で受信すると、処理要求検知部１１は、その処理要求を検知することで、外部の装置から処理要求があったと判断する（ステップＳ１でＹｅｓ）。
【００５２】
次に、処理要求検知部１１が検知した処理要求を処理要求受付部２で受け付けた後（ステップＳ２）、その処理要求を行なった利用者の認証が必要かどうかを認証要否判断部１２で判断する（ステップＳ３）。
【００５３】
上記ステップＳ３で認証要否判断部１２が利用者の認証が必要と判断すると、その判断を受けて認証処理管理部３が通信部１を介して外部の認証装置１０２に利用者の認証を依頼する（ステップＳ４）。このとき、認証依頼と一緒に認証用利用者情報が画像処理装置１０１から通信網１０３を介して認証装置１０２に送られる。そして、認証装置１０２では、画像処理装置１０１から送られた認証用利用者情報を用いて利用者の認証処理を行なう。また、認証装置１０２は、画像処理装置１０１から依頼のあった利用者の認証処理を終えると、その認証結果を依頼元の画像処理装置１０１宛てに送信する。画像処理装置１０１が認証装置１０２に認証を依頼してから認証結果を受け取るまでには、ある程度の時間がかかる。その間、画像処理装置１０１では、次のような処理が行なわれる。
【００５４】
即ち、上記ステップＳ３で認証が必要と認証要否判断部１２が判断した利用者に関して、当該利用者の過去の認証結果を含む認証履歴情報が上記認証履歴テーブル１４に登録されているかどうかを認証履歴確認部１３で確認する（ステップＳ５）。認証履歴確認部１３は、上記ステップＳ２で処理要求受付部２が受け付けた処理要求と一緒に受け取った認証用利用者情報（本形態例では利用者ＩＤ）を認証履歴管理部４に送って、当該認証用利用者情報で特定される利用者が、認証履歴テーブル１４に登録済みの利用者であるかどうかを認証履歴管理部４に問い合わせる。この問い合わせを受けて認証履歴管理部４は、認証履歴テーブル１４の登録済みの利用者（利用者ＩＤ）の中に、問い合わせのあった利用者（利用者ＩＤが一致する情報）が存在するかどうかを検索する。そして、問い合わせのあった利用者が存在する場合は、該当する利用者に関する認証履歴情報を認証履歴確認部１３に通知する。このとき、問い合わせのあった利用者に関して、認証日時が異なる複数の認証履歴情報が認証履歴テーブル１４に登録されている場合は、そのなかで最も認証日時が新しい認証履歴情報（つまり、前回の認証結果を含む認証履歴情報）を認証履歴確認部１３に通知すればよい。また、問い合わせのあった利用者が存在しない場合は、その旨を認証履歴確認部１３に通知する。こうした通知を受けて認証履歴確認部１３は、通知内容が認証履歴情報であった場合は、登録済みの利用者であると判断してステップＳ６に進む。また、認証履歴確認部１３は、問い合わせのあった利用者が認証履歴テーブルに存在しない旨の通知内容であった場合は、登録済みの利用者ではないと判断してステップＳ８に移行する。
【００５５】
次に、認証履歴確認部１３は、認証履歴管理部４から通知された認証履歴情報を参照することにより、当該認証履歴情報に含まれる利用者の認証結果（今回の処理要求を行なう前の、過去の認証結果）が認証成功になっているかどうかを確認する（ステップＳ６）。そして、利用者の認証結果が認証成功になっていた場合は、その旨を電力制御部５に通知する。この通知を受けて電力制御部５は、自装置の電力状態をレベル３に変更するように電源管理部６に指示を与える（ステップＳ７）。これにより、電源管理部６は、電力制御部５からの指示にしたがって自装置の電力状態をレベル１からレベル３に切り替える。この場合、電力制御部５は、自装置の電力状態をレベル１からレベル３に切り替えるように電源管理部６の動作を制御することになる。
【００５６】
これに対して、認証が必要と判断された利用者の認証履歴情報が認証履歴テーブル１４に登録されていない場合（ステップＳ５でＮｏの場合）や、登録されていても認証結果が認証失敗であった場合（ステップＳ６のＮｏの場合）は、いずれもステップＳ７の処理（電力状態の切り替え処理）を行なうことなく、ステップＳ８に移行する。この場合、電力制御部５は、自装置の電力状態をレベル１からレベル３に切り替えないように電源管理部６の動作を制御することになる。
【００５７】
なお、上記ステップＳ６で利用者の認証履歴情報を参照して認証成功かどうかを判断する場合、ある１つの利用者ＩＤに関して、認証日時が異なる複数の認証履歴情報が認証履歴テーブル１４に登録されている状況では、認証日時が最も新しい認証結果の成否で判断してもよいが、本発明はこれに限らない。例えば、ある１つの利用者ＩＤに対応して認証履歴テーブル１４に登録されている複数の認証履歴情報に含まれる認証成功及び認証失敗の割合を確認し、認証成功の割合が予め設定された値（例えば、８割）よりも高い場合には認証成功と判断し、それ以外の場合には認証失敗と判断するようにしてもよい。
【００５８】
その後、認証処理管理部３は、上記ステップＳ４で利用者の認証を依頼した認証装置１０２から自装置宛てに送信された認証結果を通信部１が受信したかどうかを繰り返し確認し、当該認証結果を通信部１が受信すると、その段階で認証結果を取得する（ステップＳ８）。
【００５９】
次に、認証処理管理部３は、認証装置１０２から取得した認証結果を認証履歴管理部４に転送し、これを受けて認証履歴管理部４が今回の認証結果を含む認証履歴情報を認証用利用者情報（利用者ＩＤ）と対応付けて認証履歴テーブル１４に登録する（ステップＳ９）。
【００６０】
次に、認証処理管理部３は、認証装置１０２から取得した認証結果が認証成功になっているかどうかを確認する（ステップＳ１０）。そして、認証成功になっていた場合は、その旨を電力制御部５に通知する。この通知を受けて電力制御部５は、自装置の電力状態をレベル６に変更するように電源管理部６に指示を与える（ステップＳ１１）。これにより、電源管理部６は電力制御部５からの指示にしたがって自装置の電力状態を切り替える。
【００６１】
その際、切り替え直前の電力状態がレベル１であった場合は、電源管理部６は、電力制御部５からの指示にしたがって自装置の電力状態をレベル１からレベル６に切り替える。この場合、電力制御部５は、自装置の電力状態をレベル１からレベル６に切り替えるように電源管理部６の動作を制御することになる。また、切り替え直前の電力状態がレベル３であった場合は、電源管理部６は、電力制御部５からの指示にしたがって自装置の電力状態をレベル３からレベル６に切り替える。この場合、電力制御部５は、自装置の電力状態をレベル３からレベル６に切り替えるように電源管理部６の動作を制御することになる。
【００６２】
上記ステップＳ１１で自装置の電力状態を切り替えるにあたって、切り替え直前の電力状態がレベル１である場合とは、上記ステップＳ７の処理（電力状態のレベル変更処理）が行なわれなかった場合に相当する。また、切り替え直前の電力状態がレベル３である場合とは、上記ステップＳ７の処理が行なわれた場合に相当する。
【００６３】
次に、機能処理部７は、上記ステップＳ２で処理要求受付部２が受け付けた処理要求の内容にしたがって処理（印刷処理、画像読取処理、複写処理、ＦＡＸ処理、ステータス処理など）を実行する（ステップＳ１２）。
【００６４】
その後、電力制御部５は、予め設定された節電移行条件を満たした段階で、自装置の電力状態をレベル１に変更するように電源管理部６に指示を与える（ステップＳ１３）。これにより、電源管理部６は電力制御部５からの指示にしたがって自装置の電力状態を切り替える。節電移行条件としては、例えば、「利用者から処理要求のない時間が規定時間以上にわたって継続すること」などの条件を適用すればよい。
【００６５】
その際、切り替え直前の電力状態がレベル６であった場合は、電源管理部６は、電力制御部５からの指示にしたがって自装置の電力状態をレベル６からレベル１に切り替える。この場合、電力制御部５は、自装置の電力状態をレベル６からレベル１に切り替えるように電源管理部６の動作を制御することになる。また、切り替え直前の電力状態がレベル３であった場合は、電源管理部６は、電力制御部５からの指示にしたがって自装置の電力状態をレベル３からレベル１に切り替える。この場合、電力制御部５は、自装置の電力状態をレベル３からレベル１に切り替えるように電源管理部６の動作を制御することになる。また、切り替え直前の電力状態がレベル１であった場合は、電源管理部６は、電力制御部５からの指示にしたがって自装置の電力状態をレベル１に維持する。この場合、電力制御部５は、自装置の電力状態をレベル１に維持するように電源管理部６の動作を制御することになる。
【００６６】
上記ステップＳ１３で自装置の電力状態を切り替えるにあたって、切り替え直前の電力状態がレベル６である場合とは、上記ステップＳ１１の処理（電力状態の切り替え処理）が行なわれた場合に相当する。また、切り替え直前の電力状態がレベル３である場合とは、上記ステップＳ７の処理が行なわれた後、上記ステップＳ１１の処理が行われなかった場合に相当する。また、切り替え直前の電力状態がレベル１である場合とは、上記ステップＳ７の処理とステップＳ１１の処理がどちらも行われなかった場合に相当する。
【００６７】
一方、上記ステップＳ１０において今回の認証結果が認証失敗になっていた場合は、認証処理管理部３は、通信部１を介して利用者端末１００に認証に失敗した旨を通知する（ステップＳ１４）。その後、ステップＳ１３の処理に移行する。
【００６８】
なお、上記実施の形態においては、画像処理装置１０１から外部の認証装置１０２に利用者の認証処理を依頼するものとしたが、これに限らず、画像処理装置１０１の内部に認証装置の機能を組み込み、当該内部認証装置に利用者の認証処理を依頼するものとしてもよい。ちなみに、「外部認証装置」とは、画像処理装置１０１と通信網１０３を介して接続される認証装置をいい、「内部認証装置」とは、画像処理装置１０１の本体内に組み込まれる認証装置や、画像処理装置１０１と通信網１０３を介することなく通信ケーブルで１：１の対応関係で接続される認証装置をいう。画像処理装置１０１に「内部認証装置」を組み込む場合は、「内部認証装置」が認証処理を行なうのに必要となるハードウェアの電源を、例えばレベル１で投入する構成とすればよい。「内部認証装置」を用いて利用者の認証処理を行なう場合のシステム構成では、外部の認証装置１０２が不要になる。
【００６９】
また、上記実施の形態においては、認証が必要と判断した利用者に関して、認証履歴テーブル１４に登録されている認証履歴情報に含まれる認証結果が認証成功であれば、自装置の電力状態をレベル１からレベル３に切り替えるものとしたが、これ以外にも、認証履歴情報に含まれる処理要求の内容に応じて電力状態の切り替え後のレベルを変えてもよい。例えば、認証履歴情報に含まれる処理要求の内容が印刷処理、画像読取処理又は複写処理の場合は、レベル１からレベル５に切り替えるものとし、認証履歴情報に含まれる処理要求の内容がＦＡＸ処理の場合は、レベル１からレベル４に切り替えるものとし、認証履歴情報に含まれる処理要求の内容が、ステータスを確認する処理の場合は、レベル１からレベル３に切り替えるものとしてもよい。また、認証履歴情報に含まれる処理要求の内容が印刷処理で、それに対応して自装置の電力状態をレベル１からレベル５に切り替える場合は、当該電力状態の切り替え後に、利用者端末１００から印刷用に送られた画像データの処理を、認証装置１０２から認証結果を受信（取得）する前に、先行して開始してもよい。つまり、認証履歴情報で示された利用者の過去（本形態例では前回）の認証結果が認証成功であることをきっかけに、自装置の電力状態を第１の電力状態から第２の電力状態に切り替えた場合に、切り替え後の電力状態のままで、今回の認証結果を認証装置１０２から取得するまでの間に、利用者から処理要求に基づく処理を途中まで進めてもよい。
【００７０】
また、上記実施の形態においては、本発明に係る情報処理装置の一例として、画像処理装置１０１を例に挙げて説明したが、本発明はこれに限らず、利用者端末１００を操作する利用者から処理要求を受けて処理を行なう情報処理装置全般に広く適用されるものである。ただし、画像処理装置の中でも、プリンタ、複写機、ＦＡＸ装置、又はそれらの機能を併せ持つ複合機などの画像形成装置、特に電子写真式の画像形成装置の場合は、ヒータ等の加熱源を備えるため、待機状態での電力消費が多い一方、省電力状態から稼働状態に復帰するまでの時間が長くなる傾向がある。このため、本発明を画像形成装置、特に電子写真式の画像形成装置に適用すると、処理開始までの時間を短縮する効果が大きくなる。
【符号の説明】
【００７１】
１…通信部、２…処理要求受付部、３…認証処理管理部、４…認証履歴管理部、５…電力制御部、６…電源管理部、７…機能処理部、１００…利用者端末、１０１…画像処理装置（情報処理装置）、１０２…認証装置（外部認証装置）、１０３…通信網
【図１】
2010194910.tif 000003
【図２】
2010194910.tif 000004
【図３】
2010194910.tif 000005
【図４】
2010194910.tif 000006
【図５】
2010194910.tif 000007